(57)【特許請求の範囲】
【請求項１】
遊技機側から出力される遊技に関わる遊技信号を受信する遊技信号受信手段と、
前記遊技信号に基づいて第１の不正検出条件が成立したときに、前記遊技機に対して不正が行なわれたとして第１の不正を検出する第１の不正検出手段と、
前記第１の不正検出手段が不正を検出したときに、前記遊技機で遊技している遊技者の識別情報を取得する識別情報取得手段と、
前記識別情報取得手段が取得した遊技者の識別情報を不正が行われた遊技機の識別情報と対応付けて記憶する不正情報記憶手段と、
前記不正情報記憶手段が記憶している遊技者の識別情報に基づいて、同一の遊技者に対して異なる複数の遊技機にて前記第１の不正検出手段が不正を検出したときに第２の不正を検出する一方、同一の遊技者に対して前記第１の不正検出手段が同一の遊技機にて複数回の不正を検出したときには前記第２の不正を検出しない第２の不正検出手段とを備えたことを特徴とする遊技店用管理システム。
【請求項２】
前記第１の不正検出手段は、前記第１の不正を検出した場合に、表示、或いは音声により不正検出した旨を報知する第１の報知を行い、
前記第２の不正検出手段は、前記第２の不正を検出した場合に、表示、或いは音声により不正検出した旨を、前記第１の報知と区別して報知する第２の報知を行うことを特徴とする請求項１記載の遊技店用管理システム。
【請求項３】
前記第１の不正検出手段は、前記第２の不正検出手段が前記第２の不正を検出した場合に、当該第２の不正の検出前と比較して詳細に不正検出が可能となるように、当該第２の不正の検出後の前記第１の不正検出条件を変更することを特徴とする請求項１または２記載の遊技店用管理システム。
【請求項４】
前記第１の不正検出条件は複数有り、
前記不正情報記憶手段は、前記第１の不正検出手段による不正の検出が行われたときに遊技者の識別情報を、その不正が検出された前記第１の不正検出条件と対応付けて記憶し、
前記第２の不正検出手段は、
前記複数ある第１の不正検出条件の内、同一の不正検出条件によって同一の遊技者に対して異なる複数の遊技機にて前記第１の不正検出手段が不正を検出したときに前記第２の不正を検出する一方、異なる不正検出条件によって同一の遊技者に対して異なる複数の遊技機にて前記第１の不正検出手段が検出したときには前記第２の不正を検出しないことを特徴とする請求項１乃至３の何れかに記載の遊技店用管理システム。
【請求項５】
遊技機側から出力される遊技に関わる遊技信号を受信する遊技信号受信手段と、
前記遊技信号に基づいて第１の不正検出条件が成立したときに、前記遊技機に対して不正が行なわれたとして第１の不正を検出する第１の不正検出手段と、
前記第１の不正検出手段が不正を検出したときに、前記遊技機で遊技している遊技者の識別情報を取得する識別情報取得手段と、
前記識別情報取得手段が取得した遊技者の識別情報を不正が行われた日付情報と対応付けて、複数日にわたって記憶する不正情報記憶手段と、
前記不正情報記憶手段が記憶している遊技者の識別情報に基づいて、同一の遊技者に対して複数日において遊技機にて前記第１の不正検出手段が不正を検出したときに第２の不正を検出する一方、同一の遊技者に対して前記第１の不正検出手段が単日にて複数回の不正を検出したときには前記第２の不正を検出しない第２の不正検出手段とを備えたことを特徴とする遊技用店管理システム。
【発明の詳細な説明】
【技術分野】
【０００１】
本発明は、遊技機側からの遊技信号に基づいて不正行為を検出する遊技店用管理システムに関する。
【背景技術】
【０００２】
従来、パチンコホール等の遊技店では、不正行為により出玉を獲得する不正者を発見するため、遊技情報或いは遊技機が開放することに応じて出力されるドア開信号等に基づいて不正検出を行なっている。例えば、特許文献１には、不正検出毎に遊技者を撮像し、不正者の情報を蓄積する旨が記載されている。
【特許文献１】特開２００２−２９２０７８号公報
【発明の開示】
【発明が解決しようとする課題】
【０００３】
しかしながら、上記の不正検出は、遊技情報やドア開信号の入力に伴い一様に検出を行なってしまうため、例えば偶発的に遊技情報が不正範囲に達した場合、或いは遊技機自身に不正ではないトラブルが発生し、そのトラブルに基づき遊技機を何回も開放し、遊技機の修理を行なった場合等、本来であれば不正として検出されるべきではない行為においても、不正検出を行なってしまっていた。
【０００４】
また、近年は、遊技店も年々大型化していることから、従来の一様な不正検出では、不正検出件数が膨大となり、検出すべき不正行為が他の検出すべきでない不正検出の中に埋もれてしまい、結果として不正検出自体が意味をなさないものとなってしまう虞があった。
【０００５】
本発明は上記事情に鑑みてなされたもので、その目的は、誤った不正検出を極力排除することにより、遊技機に対する不正行為を確実に検出することができる遊技店用管理システムを提供することにある。
【課題を解決するための手段】
【０００６】
請求項１の発明によれば、不正検出手段が遊技機側の遊技信号に基づいて不正条件が成立したことにより不正検出（第１の不正検出）した場合は、本来の不正でなく遊技機自身のトラブルである可能性もあることから、このような場合に、遊技者を不正者であると直ちに判断することは誤った判断をしてしまう虞がある。
【０００７】
そこで、同一の遊技者が異なる複数の遊技機に対して不正を行ったこと（第２の不正検出）を判定した場合は、遊技機自身のトラブルに基づく検出とは考えがたく、遊技者による不正行為によるものである可能性が高い。つまり、遊技者が不正者である可能性が非常に高いことから、不正者である可能性が高い遊技者のみを抽出することができるようになる。従って、検出すべき不正行為が他の検出すべきでない検出に埋もれてしまうことがなくなり、不正検出を確実に行なうことができる。
【０００９】
請求項３の発明によれば、不正者が異なる遊技機で遊技していた場合は、不正行為を再度行なう可能性が高いことから、このような場合は、例えば不正を検出しやすいように不正検出条件を変更することにより、不正行為を迅速に発見することができる。
【００１０】
請求項４の発明によれば、不正者は、同一の不正内容で不正行為を再度行なう可能性が高いことから、不正者を確実に抽出可能となる。
請求項５の発明によれば、複数日において不正検出された遊技者を抽出することが可能となり、不正検出の精度を高めることができると共に、特殊操作に応じて大当たりを発生させるプログラム等を記憶したＲＯＭ等を遊技機に仕掛けて、不正者のみが特殊操作により出玉を得たりする不正行為を的確に検出可能となる。
【発明を実施するための最良の形態】
【００１１】
以下、本発明の一実施例について図面を参照して説明する。図１は、システム全体を概略的に示している。この図１において、遊技機１に対応して台毎表示端末２及び呼出ランプユニット３が設置されている。２台の台毎表示端末２及び呼出ランプユニット３に対応してＩＯインタフェース４が設置されており、管理装置（遊技信号受信手段、第１の不正検出手段、第２の不正検出手段、識別情報取得手段、不正情報記憶手段に相当）５は、ＩＯインタフェース４を介して遊技機１の稼動状態及び台毎表示端末２の売上状態を管理するようになっている。
呼出ランプユニット３は、対応する遊技機１の稼働状態を収集して出力すると共に、遊技機１の稼働状態に応じて所定のランプを点灯或いは点滅したり、呼出ボタンに対する操作に応じて呼出ランプを点灯したりする。
【００１２】
図２は、台毎表示端末２の斜視図である。この図２において、台毎表示端末２には会員カード挿入口６が設けられている。会員カードは、会員登録された遊技者に対してＩＤカードとして発行されるもので、その会員カードを利用して遊技することにより、各種サービス（貯玉、再プレイ、情報提供）を受けることができる。液晶表示器７はタッチパネルを有しており、会員に対して現在遊技している遊技機１の遊技データ或いは所望の遊技機１の遊技データを表示するもので、これらの遊技データに基づいて遊技機１を選択する目安としたり、現在遊技している遊技機１の遊技を継続するかの判断を行ったりすることが可能となっている。また、台毎表示端末２は台間玉貸機の機能を有しており、会員カードから会員情報を読取った状態で払出しボタンが操作されたときは、予め貯玉されている遊技媒体から単位玉数をノズル８から遊技機１に払い出すようになっている。尚、硬貨投入口９に硬貨を投入することによっても遊技媒体の払出しが可能となっている。
ここで、液晶表示器７の端部には台毎カメラ（撮像手段に相当）１０が設けられている。この台毎カメラ１０は、遊技機１で遊技する遊技者を後述する所定タイミングで撮像するもので、その撮像画像を管理装置５へ送信するようになっている。
【００１３】
次に上記構成の作用について説明する。
遊技者が遊技を開始し、遊技機１に打ち込んだパチンコ玉がアウト玉として１０個排出される毎にアウト信号が出力される。また、遊技機１からパチンコ玉がセーフ玉として１０個払い出される毎にセーフ信号が出力される。また、パチンコ玉がスタート入賞孔に入賞すると、スタート信号が出力され、スタート（図柄変動、或いは所定のゲーム）に応じて、所定の確率で大当たりが発生すると、大当たり信号が出力される。
【００１４】
台毎表示端末２は、対応する遊技機１側から出力される各種信号に基づいて当該遊技機１に対して不正条件が成立したと判断したきは、遊技機に対して不正が行われたことを検出したと判断し、台毎カメラ１０で遊技者を撮像して管理装置５へ撮像画像と不正内容を示す信号を出力する。
【００１５】
管理装置５は、台毎表示端末２から信号を受信したときは、その信号が示す画像と不正内容とを示す新規レコードを不正履歴ファイルに作成する。このとき、管理装置５は、新規レコードを作成する際に、受信した画像と記憶している画像とを照合する。このような照合は、遊技者の顔の目、鼻、口等の形状や配置の個人差の特徴点を抽出して比較するもので、現在の認識技術を用いることにより高い認識精度を得ることができる。特に本実施例では、遊技者は遊技機１に向かって正対した状態で遊技しており、台毎カメラ１０により撮像された顔の向きや大きさが一定となることから、十分に高い認識精度を得ることができる。
【００１６】
管理装置５は、人物認識の結果、受信した画像の人物と同一人物の画像がない場合は、その画像について新規の遊技者ＩＤを登録する。
図３は、不正履歴ファイルの一例を示している。この図３において、不正履歴ファイルは、発生番号、発生時刻、台番号、不正内容、遊技者ＩＤからなる。図３に示す例では、９時１０分に５１番台で不正検出し、その不正内容は「ドア開」である。この場合、最初の不正検出であることから、遊技者ＩＤは「１」となる。同時に、遊技者ＩＤに対応して台毎カメラ１０による撮像画像を保存する。
【００１７】
次に、９時２０分に不正を検出し、新規レコードを作成すると共に、台毎カメラ１０の画像に基づく人物認識により遊技者の画像が保存されているかを判断する。この場合、画像が保存されていないと判断し、遊技者ＩＤとして「２」を設定すると共に、遊技者ＩＤに対応して画像を保存する。
尚、台毎カメラ１０の画像に基づいて人物を認証し、遊技者ＩＤを与える構成については特開２００５−４０２０８号公報に開示されている。
【００１８】
従って、不正履歴ファイルに基づいて遊技者の不正を検出することが可能となるものの、例えば従業員が遊技機１のドアを開放した場合、或いはセーフ玉が一時的に集中した場合、或いは大当たりが一時的に集中した場合であっても不正の可能性があると判断してしまうことから、１回の不正検出で不正が発生したと判断することは不正行為を誤検出する虞がある。
【００１９】
そこで、管理装置５は、不正を検出した際に、画像認識により台毎カメラ１０で撮像された人物と同一人物の画像がある場合は、同一人物の遊技者ＩＤを新規レコードに記憶するようになっている。図３に示す例では、９時２５分に不正を検出し、そのときの遊技者ＩＤとして「３」を設定するのに続いて、９時２８分に不正を検出し、そのときの人物認識した人物が遊技者ＩＤ「３」の人物と同一であったと判断したことから、この場合の遊技者ＩＤとして「３」を設定する。このとき、台毎カメラ１０による遊技者の画像を誤認識も考慮して記憶してもよい。
【００２０】
さて、遊技店の従業員は、管理装置５に対する操作により不正履歴を表示画面に表示することができる。この場合、管理装置５の表示画面は２つの画像を同時に表示可能となっており、一方の分割画面には通常の不正履歴画面が表示され、他方の分割画面には画像画面が表示される。
【００２１】
図４は、管理装置５の表示画面に表示された不正履歴画面を示しており、図３に示した不正履歴ファイルの内容を表示するようになっている。この図４に示すように、不正履歴画面には、日付入力部１１、不正種類選択部１２、表示選択部１３、不正履歴表示部１４が設定されている。日付入力部１１には今日の日付を直接入力する。不正種類選択部１２は、「全て」、「ドア開」、「データ異常１」、「データ異常２」の何れかを選択可能となっている、表示選択部１３は、「発生順」、「台番順」、「抽出」の何れかを選択可能となっている。
【００２２】
上述の「ドア開」、「データ異常１」、「データ異常２」の不正内容は以下の通りである。
【００２３】
【表１】
0004819495.tif 000002
【００２４】
但し、通常状態とは遊技機１が大当たりや、確率変動等の特別状態でない状態、ベースとは遊技機１の通常状態における出玉率（通常時セーフ÷通常時アウト×１００）のことである。
【００２５】
図４に示す不正履歴画面は、不正種類として「全て」が選択され、表示として「発生順」が選択された状態を示している。この不正履歴画面から、９時１０分に５１番台で「ドア開」がＩＤ「１」の遊技者の遊技状態で発生し、９時２０分に１２３番台で「データ異常２」がＩＤ「２」の遊技者の遊技状態で発生し、９時２５分、９時２８分に１２５番台で「ドア開」がＩＤ「３」の遊技者の遊技状態で連続して発生したことが分る。また、例えばＩＤ「１」の遊技者が遊技する５１番台では、９時３０分にも「データ異常１」が発生し、さらに、ＩＤ「１」の遊技者は５１番台から５５番台に移動し、１０時に「ドア開」の異常が発生したことが分る。
【００２６】
一方、管理装置５の表示画面には、上述した不正履歴画面に対応して画像画面が同時に表示される。
図７は、図４に示す不正履歴画面に対応した画像画面の一例を示している。この図７に示すように、画像画面には、発生番号、遊技者画像、台番号、発生時刻、不正内容が表示されている。この場合、遊技者画像は、図４に示す不正履歴画面の遊技者ＩＤに対応して保存されている画像が表示される。
【００２７】
尚、図４に示す不正履歴画面上の任意のレコード上にカーソルを位置すると、図７に示す当該レコードに対応した画像画面の画像に図示しない所定のマークが付けられるようになっており、注意人物の特定が容易となっている。また、不正履歴画面が次の画面に切替えられたときは、対応する画像画面も自動的に切替えられるようになっている。また、管理装置５の表示画面には、不正履歴画面と画像画面が同時に表示されるものの、一つのカーソルしか存在しないようになっている。
【００２８】
さて、図４に示すように不正履歴画面が表示された状態で、表示選択部１３として「台番順」を選択すると、図５に示すように不正履歴画面が台番順に並び替えられる。このとき、同一の遊技者ＩＤが異なる遊技機に対応したレコードが存在していた場合は、当該レコードが反転表示される。また、図８に示すように画像画面が台番号順に並び替えられる。このとき、図４で反転表示されたレコードに対応した発生番号及び台番号が反転表示される。また、図８に示すように台番号として矢印が表示されている場合は、台移動があったことを示しており、矢印の左側の数字は不正を検出した際の台番号を示し、矢印の右側の数字は移動先または移動元の台番号を示している。
従って、図８に示す画像画面を確認することにより、不正者の行動パターンを一目で把握することができる。
【００２９】
また、図４に示す不正履歴画面上で、表示選択部１３として「抽出」を選択すると、図６に示すように異なる遊技機１で不正検出された遊技者のみが抽出されて表示される。従って、不正者の可能性が高い遊技者の行動パターンを一目で把握することができる。
【００３０】
このような実施例によれば、遊技機１からの信号に基づいて不正が行なわれたことを検出したときは遊技者の画像と関連付けられた不正履歴ファイルを作成し、その不正履歴ファイルに基づいて同一人物による再度の不正検出が行なわれたときは、遊技者は不正者であると最終的に判断するようにしたので、遊技機１からの信号に基づいて不正が行なわれたと判断したときは遊技者を不正者であると直ちに判断してしまう構成のものと違って、遊技者を不正者と判断する精度を高めることができる。
【００３１】
しかも、遊技者を識別する手段として、台毎カメラ１０による撮像画像を画像認識するようにしたので、例えば会員カードを用いて識別する構成に比較して、非会員である一般の遊技者も管理することができ、システムの汎用性を高めることができる。また、遊技者の識別情報を登録する必要がないので、遊技者が煩わしさを感じず、使用勝手に優れている。そもそも会員カードを使用する場合は、不正者は、会員カードを挿入した状態で不正を行うことがない（身元を特定して不正を行うものはない）ことから、このような遊技環境では、台毎カメラ１０を使用する最大のメリットがある。
さらに、管理装置５の表示画面において、異なる遊技機１にわたって不正検出された遊技者に対応した表示を反転表示するようにしたので、注意を要する遊技者を容易に特定することができ、不正内容に基づいて不正行為を迅速に確認することができる。
【００３２】
本発明は、上記実施例に限定されることなく、次のように変形または拡張できる。
不正検出時に音声放送する構成とし、通常の不正検出時の音声と、異なる遊技機で同一人物が不正検出されたときの音声とを区別して放送するようにしてもよい。このような構成によれば、他の遊技者に知られることなく、注意する重要性が高い不正検出を特定できる。また、音声放送せずに従業員用のイヤホン付無線受信機（所謂インカム）にのみ音声信号を送信するようにしてもよい。
【００３３】
異なる台番にて同一の遊技者が不正検出されたときに、データ異常の検出条件を変更してもよい。例えばベース異常のセーフを５０玉から４０玉に変更したり、連続大当り異常のスタート数を１００回以内から２００回以内に、或いは連続大当り回数を３回から２回に変更したりするようにしてもよい。さらに、検出条件を変更した場合に作成する不正履歴の表示を他の履歴と異なる表示としてもよい。このような構成によれば、注意すべき不正者に対してのみ条件を設定して詳細に不正検出が可能となる。
【００３４】
異なる台番にて同一遊技者が不正検出されたときに、撮像条件を変更するようにしてもよい。例えば、不正判断時のみを撮像タイミングとしていたものを、不正判断時の撮像に加えて、アウト１０００玉毎に撮像したり、或いは動画や所定時間毎のコマ撮り画像としたりしてもよい。このような構成の場合も、注意すべき不正者に対してのみ条件を設定して詳細に不正検出が可能となる。また、このような撮像条件の変更は、該当遊技者だけでなく、遊技場全体、或いは機種単位等で変更してもよい。
【００３５】
本実施例では、２つの異なる台番にて不正検出された場合に遊技者を不正者と断定するようにしたが、３つ以上の異なる台番にて不正検出された場合に遊技者を不正者と判断するようにしてもよい。
【００３６】
複数日分の遊技者の画像を蓄積し、画像認識として用いるようにしてもよい。例えば１週間のうち、同一の遊技者が３日不正検出された場合に抽出するようにしてもよい。また、同一の遊技機であっても、特定の遊技者のみが不正検出され、その遊技者は不正検出されない場合に不正者として抽出するようにしてもよい。このような構成によれば、特殊操作に応じて大当たりを発生させるプログラム等を記憶したＲＯＭ等を遊技機に仕掛け、不正者のみが特殊操作により出玉を得る不正行為を的確に検出可能となる。
【００３７】
不正項目が同一の場合のみを抽出条件とするようにしてもよい。
遊技者の識別をＩＤにより行なわず、遊技者の撮像画像のみで行なうようにしてもよい。また、指紋や眼球の虹彩、或いは会員カード等を遊技者の識別に使用するようにしてもよい。
【００３８】
台毎表示端末２から独立した台毎カメラにより遊技者を撮像するようにしてもよい。
表１に示す不正項目以外の不正検出を行なうようにしてもよい。
本実施例では、異なる遊技機で同一の遊技者を不正検出した場合に不正者であると判断するようにしたが、単に第２の不正が発生したと判断するようにしてもよい。
遊技機としてパチスロ機に適用するようにしてもよい。
【図面の簡単な説明】
【００３９】
【図１】本発明の一実施例を示すシステムの概略図
【図２】台毎表示端末の斜視図
【図３】不正履歴ファイルを示す図
【図４】管理装置の不正履歴画面を発生順で示す図
【図５】管理装置の不正履歴画面を台番順で示す図
【図６】管理装置の不正履歴画面を抽出で示す図
【図７】管理装置の画像画面を発生順で示す図
【図８】管理装置の画像画面を台番順で示す図
【図９】管理装置の画像画面を抽出で示す図
【符号の説明】
【００４０】
図面中、１は遊技機、２は台毎表示端末、５は管理装置（遊技信号受信手段、第１の不正検出手段、第２の不正検出手段、識別情報取得手段、不正情報記憶手段）、１０は台毎カメラ（撮像手段）である。
【図１】
0004819495.tif 000003
【図２】
0004819495.tif 000004
【図３】
0004819495.tif 000005
【図４】
0004819495.tif 000006
【図５】
0004819495.tif 000007
【図６】
0004819495.tif 000008
【図７】
0004819495.tif 000009
【図８】
0004819495.tif 000010
【図９】
0004819495.tif 000011